(57)【要約】  本開示は光学技術分野に属し、バックライトアセンブリ及び表示装置を開示している。前記バックライトアセンブリは枠体、光学ダイアフラム、導光板及び固定構造を含み、前記光学ダイアフラムは前記導光板の出光側にあり、前記枠体は前記光学ダイアフラムの側面にあり、前記固定構造は、前記光学ダイアフラムにある第１の固定サブ構造と、前記枠体にある第２の固定サブ構造とを含み、前記第１の固定サブ構造が前記第２の固定サブ構造に係合する。
2019536191.tif 000002
【特許請求の範囲】
【請求項１】
枠体、光学ダイアフラム、導光板及び固定構造を含み、
前記光学ダイアフラムは前記導光板の出光側にあり、前記枠体は前記光学ダイアフラムの側面にあり、
前記固定構造は、前記光学ダイアフラムにある第１の固定サブ構造と、前記枠体にある第２の固定サブ構造とを含み、前記第１の固定サブ構造が前記第２の固定サブ構造に係合する、バックライトアセンブリ。
【請求項２】
前記枠体は、ストリップ状枠と、前記ストリップ状枠の側面にあるストリップ状延伸構造とを含み、前記光学ダイアフラムのエッジは前記ストリップ状枠の一方側と前記ストリップ状延伸構造の一方側とで囲まれた曲がり領域内にあり、
前記第１の固定サブ構造は、前記光学ダイアフラムの少なくとも一端にあるラグを含み、それぞれの前記ラグの前記導光板に遠い側には凹溝を有し、前記第２の固定サブ構造は、前記ストリップ状延伸構造の一方側にある突起を含み、前記突起は前記凹溝に係合する、請求項１に記載のバックライトアセンブリ。
【請求項３】
前記バックライトアセンブリは背板をさらに含み、
前記背板は、底板と、前記底板の少なくとも一端にあるストリップ状構造とを含み、前記導光板は前記光学ダイアフラムと前記底板との間にあり、前記ストリップ状構造には係合溝があり、前記ラグのエッジは前記係合溝に係合する、請求項２に記載のバックライトアセンブリ。
【請求項４】
前記光学ダイアフラムは矩形ダイアフラムであり、前記ラグは前記光学ダイアフラムの長辺にある、請求項２または３に記載のバックライトアセンブリ。
【請求項５】
前記ラグは軸対称構造であり、かつ前記ラグの対称軸は前記光学ダイアフラムの対称軸に重なり合う、請求項４に記載のバックライトアセンブリ。
【請求項６】
前記光学ダイアフラムの少なくとも一辺のうちのそれぞれは、対称軸に対して対称配置される複数の前記ラグを有し、
前記枠体は、前記ストリップ状枠と、前記ストリップ状枠の側面にあり対称軸に対して対称配置される複数のストリップ状延伸構造と、を含み、前記複数のラグの配置方向と前記複数のストリップ状延伸構造の配置方向とは同じである、請求項４に記載のバックライトアセンブリ。
【請求項７】
前記バックライトアセンブリは反射シートをさらに含み、
前記反射シートは前記導光板の底側にあり、かつ前記導光板と前記底板との間にある、請求項３〜６のいずれか１項に記載のバックライトアセンブリ。
【請求項８】
前記凹溝は円形貫通穴又は円形止まり穴であり、前記突起は円柱形突起である、請求項２〜７のいずれか１項に記載のバックライトアセンブリ。
【請求項９】
請求項１〜８のいずれか１項に記載のバックライトアセンブリと、
表示パネルと、を含み、
前記表示パネルのエッジは前記ストリップ状枠の一方側と前記ストリップ状延伸構造の他方側とで囲まれた曲がり領域内にある、表示装置。
【請求項１０】
前記表示装置は前枠をさらに含み、
前記前枠は前記枠体の外側にあり、かつ前記表示パネルの前記光学ダイアフラムに遠い側のエッジをカバーする、請求項９に記載の表示装置。
【発明の詳細な説明】
【技術分野】
【０００１】
（関連出願のクロス引用）
本願は、２０１６年１１月１０日に出願された、出願番号が２０１６２１２１４８７１．７である中国特許出願に基づき優先権を主張し、その全ての内容をここに援用する。
【０００２】
（技術分野）
本開示は光学技術分野に関し、特にバックライトアセンブリ及び表示装置に関する。
【背景技術】
【０００３】
バックライトアセンブリ（Ｂａｃｋ  Ｌｉｇｈｔ  Ａｓｓｅｍｂｌｙ）は液晶ディスプレイ（Ｌｉｑｕｉｄ  Ｃｒｙｓｔａｌ  Ｄｉｓｐｌａｙ；略称：ＬＣＤ）の裏に固定され、バックライトアセンブリは、導光板と、導光板の出光面にある光学ダイアフラムとを含み、光学ダイアフラムの位置決めの信頼性はバックライトアセンブリの光学品質に直接な影響を与える。
【０００４】
従来技術において、一般的には、金属位置決め柱によって光学ダイアフラムを背板上に位置決めし、光学ダイアフラムには、穴を有するラグが配置され、バックライトアセンブリを組み立てるとき、金属位置決め柱の一端を背板上に固定し、他端をラグ上の穴に順に挿通しかつ膨張部によって固定する。
【０００５】
しかしながら、実際応用において、従来技術によって光学ダイアフラムを位置決めすると、バックライトアセンブリを組み立てるとき、金属位置決め柱を背板上に固定する必要があるが、これは難しい。背板上に弾性体を設けてこの金属位置決め柱を固定する必要があるため、バックライトアセンブリの構造が複雑になり、組み立て難度が上がり、かつ膨張部自体の変形により、光学ダイアフラムは背板に遠い側から抜けやすく、バックライトアセンブリの光学品質を低下させる。
【発明の概要】
【発明が解決しようとする課題】
【０００６】
上記課題の一部又は全部を解決するために、本開示の実施例はバックライトアセンブリ及び表示装置を提供する。その技術案は以下の通りである。
【課題を解決するための手段】
【０００７】
第１に、本開示はバックライトアセンブリを提供する。前記バックライトアセンブリは、枠体、光学ダイアフラム、導光板及び固定構造を含み、前記光学ダイアフラムは前記導光板の出光側にあり、前記枠体は前記光学ダイアフラムの側面にあり、前記固定構造は、前記光学ダイアフラムにある第１の固定サブ構造と、前記枠体にある第２の固定サブ構造とを含み、前記第１の固定サブ構造が前記第２の固定サブ構造に係合する。
【０００８】
選択的には、前記枠体は、ストリップ状枠と、前記ストリップ状枠の側面にあるストリップ状延伸構造とを含み、前記光学ダイアフラムのエッジは前記ストリップ状枠の一方側と前記ストリップ状延伸構造の一方側とで囲まれた曲がり領域内にあり、前記第１の固定サブ構造は、前記光学ダイアフラムの少なくとも一端にあるラグを含み、それぞれの前記ラグの前記導光板に遠い側には凹溝を有し、前記第２の固定サブ構造は、前記ストリップ状延伸構造の一方側にある突起を含み、前記突起は前記凹溝に係合する。
【０００９】
選択的には、前記バックライトアセンブリは背板をさらに含み、前記背板は、底板と、前記底板の少なくとも一端にあるストリップ状構造とを含み、前記導光板は前記光学ダイアフラムと前記底板との間にあり、前記ストリップ状構造には係合溝があり、前記ラグのエッジは前記係合溝に係合する。
【００１０】
選択的には、前記光学ダイアフラムは矩形ダイアフラムであり、前記ラグは前記光学ダイアフラムの長辺にある。
【００１１】
選択的には、前記ラグは軸対称構造であり、かつ前記ラグの対称軸は前記光学ダイアフラムの対称軸に重なり合う。
【００１２】
選択的には、前記光学ダイアフラムの少なくとも一辺のうちのそれぞれは、対称軸に対して対称配置される複数の前記ラグを有し、前記枠体は、前記ストリップ状枠と、前記ストリップ状枠の側面にあり対称軸に対して対称配置される複数のストリップ状延伸構造とを含み、前記複数のラグの配置方向と前記複数のストリップ状延伸構造の配置方向とは同じである。
【００１３】
選択的には、前記バックライトアセンブリは反射シートをさらに含み、前記反射シートは前記導光板の底側にあり、かつ前記導光板と前記底板との間にある。
【００１４】
選択的には、前記凹溝は円形貫通穴又は円形止まり穴であり、前記突起は円柱形突起である。
【００１５】
第２に、本開示は表示装置を提供する。前記表示装置は、前記いずれかのバックライトアセンブリを含む。
【００１６】
選択的には、前記枠体は、ストリップ状枠と、前記ストリップ状枠の側面にあるストリップ状延伸構造とを含み、前記光学ダイアフラムのエッジは前記ストリップ状枠の一方側と前記ストリップ状延伸構造の一方側とで囲まれた曲がり領域内にあり、前記表示装置は表示パネルをさらに含み、前記表示パネルのエッジは前記ストリップ状枠の一方側と前記ストリップ状延伸構造の他方側とで囲まれた曲がり領域内にある。
【００１７】
選択的には、前記表示装置は前枠をさらに含み、前記前枠は前記枠体の外側にあり、かつ前記表示パネルの前記光学ダイアフラムに遠い側のエッジをカバーする。
【００１８】
本開示の実施例における技術案をより明瞭に説明するために、実施例の説明に用いられる図面を簡単に紹介する。明らかに、下記記載における図面は本開示の実施例の一部に過ぎず、本開示を制限するためのものではない。
【図面の簡単な説明】
【００１９】
【図１】本開示の実施例によるバックライトアセンブリの構造模式図である。
【図２−１】本開示の実施例によるバックライトアセンブリの構造模式図である。
【図２−２】本開示の実施例による別のバックライトアセンブリの構造模式図である。
【図３−１】本開示の実施例による光学ダイアフラムの構造模式図である。
【図３−２】本開示の実施例による別の光学ダイアフラムの構造模式図である。
【図４】本開示の実施例によるバックライトアセンブリの構造模式図である。
【図５】本開示の実施例による表示装置の構造模式図である。
【発明を実施するための形態】
【００２０】
本開示の目的、技術案及びメリットをより明瞭にするために、以下、図面を参照しながら本開示の実施形態をさらに詳しく説明する。
【００２１】
本開示の実施例はバックライトアセンブリ１０を提供する。図１に示すように、このバックライトアセンブリ１０は、枠体１０１、光学ダイアフラム１０２、導光板１０３及び固定構造１０４を含む。前記枠体１０１はゴム枠であってもよい。
【００２２】
前記光学ダイアフラム１０２は導光板１０３の出光側に設置され、前記枠体１０１は光学ダイアフラム１０２の側面に設置される。
【００２３】
前記固定構造１０４は、光学ダイアフラム１０２に設置される第１の固定サブ構造１０４１と、枠体１０１に設置される第２の固定サブ構造１０４２とを含んでもよく、この第１の固定サブ構造１０４１は第２の固定サブ構造１０４２に係合してもよい。
【００２４】
上述の通り、本開示の実施例によるバックライトアセンブリは、光学ダイアフラムに第１の固定サブ構造を設置し、枠体に第２の固定サブ構造を設置し、第１の固定サブ構造と第２の固定サブ構造とを係合させることにより光学ダイアフラムを固定するため、バックライトアセンブリの構造を簡素化させるとともに、光学ダイアフラムを背板に遠い側から抜けにくいようにし、バックライトアセンブリの光学品質を保証した。
【００２５】
さらに、図１に示すように、枠体１０１は、ストリップ状枠１０１１と、ストリップ状枠１０１１の側面にあるストリップ状延伸構造１０１２とを含んでもよく、光学ダイアフラム１０２のエッジはストリップ状枠１０１１の一方側とストリップ状延伸構造１０１２の一方側とで囲まれた曲がり領域内にある。
【００２６】
なお、ストリップ状延伸構造１０１２はストリップ状枠１０１１の側面の中部にあり、即ち両端ではない位置にある。
【００２７】
選択的には、本開示の実施例によるバックライトアセンブリ１０の固定構造１０４は下記のような２種の選択可能な構造を有してもよい。
【００２８】
第１種の選択可能な構造として、図２−１に示すように、第１の固定サブ構造１０４１は光学ダイアフラム１０２の少なくとも一端に設置されるラグ１０２１を含んでもよく、それぞれのラグ１０２１の導光板１０３に遠い側には凹溝１０２１ａが設置され、ラグ１０２１とラグ１０２１に設置される凹溝１０２１ａとは第１の固定サブ構造１０４１を構成し、第２の固定サブ構造１０４２はストリップ状延伸構造１０１２の一方側に設置される突起１０１２ａを含んでもよく、この突起１０１２ａは凹溝１０２１ａに係合可能である。枠体に設置される突起を光学ダイアフラムのラグの凹溝に係合させることで、光学ダイアフラムがストリップ状延伸構造の一方側から抜けることを効果的に防止し、バックライトアセンブリの光学品質を保証することができる。
【００２９】
選択的には、光学ダイアフラムは輝度向上シートと拡散シートとを含んでもよく、この光学ダイアフラムの厚さは０．８ｍｍである。
【００３０】
選択的には、前記ラグ１０２１は、いずれの辺の長さも３ｍｍ以上である矩形構造であってもよい。
【００３１】
選択的には、前記凹溝１０２１ａは円形貫通穴又は円形止まり穴であってもよく、凹溝の直径は２．２ｍｍ〜２．５ｍｍであってもよく、突起１０１２ａは円柱形突起であってもよく、突起の直径は２ｍｍであってもよく、突起の高さは１．５ｍｍであってもよい。なお、本開示の実施例は、凹溝の直径、突起の直径及び厚度の寸法を限定しない。凹溝と突起の寸法が対応して係合機能を実現できれば、上記寸法は選択可能な寸法であってもよい。
【００３２】
第２種の選択可能な構造として、図２−２に示すように、第１の固定サブ構造１０４１は光学ダイアフラム１０２の少なくとも一端に設置されるラグ１０２１を含んでもよく、第２の固定サブ構造１０４２はストリップ状枠１０１１に設置される係合溝１０１１ａを含んでもよく、ラグ１０２１のエッジは係合溝１０１１ａに係合してもよい。光学ダイアフラムのラグの辺を適切な長さに設置し、ラグをストリップ状枠の係合溝に係合させることにより、光学ダイアフラムが導光板に遠い側から抜けるリスクを低減し、バックライトアセンブリの光学品質をある程度保証することができる。
【００３３】
実際応用において、実際の必要に応じて光学ダイアフラムにラグを設置してもよく、光学ダイアフラムの寸法が小さいとき、例えば光学ダイアフラムの寸法が２７寸以下であるとき、図３−１に示すように、光学ダイアフラム１０２の一方側の長辺に１つのラグ１０２１のみを設置してもよく、第１種の選択可能な固定構造において、ラグ１０２１には凹溝１０２１ａが設置されている。なお、このラグ１０２１は軸対称構造であり、かつこのラグ１０２１の対称軸は光学ダイアフラム１０２の対称軸に重なり合う。光学ダイアフラムの寸法が大きいとき、例えば光学ダイアフラムの寸法が２７寸を超えるとき、図３−２に示すように、光学ダイアフラム１０２の一方側の長辺には、対称軸に対して対称配置される複数のラグ１０２１を設置してもよい。実際状況に応じて、光学ダイアフラムのいずれの辺にもラグを設置してもよい。なお、枠体は、ストリップ状枠と、ストリップ状枠の側面にあり対称軸に対して対称配置される複数のストリップ状延伸構造とを含んでもよく、この複数のラグの配置方向と複数のストリップ状延伸構造の配置方向とは同じである。即ち、第１種の選択可能な固定構造において、複数のラグのうちのそれぞれのラグの凹溝は１つのストリップ状延伸構造の突起に対応している。
【００３４】
選択的には、上記枠体の材料はポリカーボネートであってもよい。なお、ポリカーボネートは機械的強度が高く、耐クリープ性がよい特性を有し、低温においても、ポリカーボネートは依然として高い耐衝撃強度を有する。ポリカーボネートの寸法安定性が高いため、溶融状態のポリカーボネート材料を突起付き枠体となるように射出成形する場合、突起の機械的強度が高く、光学ダイアフラムにより磨耗されにくく、固定構造の安定性を向上する。
【００３５】
さらに、図４に示すように、このバックライトアセンブリ１０は背板１０４をさらに含んでもよい。この背板１０４は、底板１０４１と、この底板１０４１の少なくとも一端にあるストリップ状構造１０４２とを含み、導光板１０３は光学ダイアフラム１０２とこの底板１０４１との間にあり、このストリップ状構造１０４２には係合溝が設置され、ラグ１０２１のエッジはこの係合溝に係合可能である。ストリップ状構造に係合溝を設置することで、光学ダイアフラムのラグエッジを係合溝に係合させることにより、光学ダイアフラムを位置決めし、バックライトアセンブリの後続組み立てを容易にする。
【００３６】
選択的には、背板はアルミメッキ亜鉛板、アルミ板、又はステンレス板であってもよく、本開示の実施例は背板の材料を限定しない。
【００３７】
なお、光学ダイアフラム１０２は矩形ダイアフラムであり、ラグ１０２１は光学ダイアフラム１０２の長辺にあってもよい。実際応用において、光学ダイアフラムは長辺側から抜けやすいことが分かったため、光学ダイアフラムを固定するように、光学ダイアフラムの少なくとも一方側の長辺にラグを設置してもよい。バックライトアセンブリが対称構造であるとき、バックライトアセンブリの対向側の構造について、図４におけるバックライトアセンブリ１０の一方側の構造を参照することができる。
【００３８】
さらに、図４に示すように、バックライトアセンブリ１０は反射シート１０５をさらに含んでもよく、この反射シート１０５は導光板１０３の底側に設置され、且つ導光板１０３と底板１０４１との間にある。
【００３９】
具体的には、バックライトアセンブリの動作時に、導光板はライトバーからの発光を伝送し、導光板下方の反射シートは導光板底面から逃げた光を導光板に改めて反射させ、光の利用率を向上してもよい。光学ダイアフラムには、光を霧化させるための拡散シートがさらに設置され、拡散シートは表示装置に均一でやわらかい光線を提供し、さらに、光学ダイアフラムの輝度向上シートは光線の正面輝度を向上させる。
【００４０】
上述の通り、本開示の実施例によるバックライトアセンブリは、光学ダイアフラムに第１の固定サブ構造を設置し、枠体に第２の固定サブ構造を設置し、第１の固定サブ構造と第２の固定サブ構造とを係合させることにより光学ダイアフラムを固定するため、バックライトアセンブリの構造を簡素化させるとともに、光学ダイアフラムを背板に遠い側から抜けにくいようにし、バックライトアセンブリの光学品質を保証した。
【００４１】
本開示の実施例は表示装置をさらに提供し、図５に示すように、この表示装置はバックライトアセンブリを含み、このバックライトアセンブリは図１、図２−１、図２−２又は図４に示すバックライトアセンブリ１０であってもよい。
【００４２】
なお、図５に示すように、バックライトアセンブリ１０の枠体１０１は、ストリップ状枠１０１１と、ストリップ状枠１０１１の側面にあるストリップ状延伸構造１０１２とを含み、光学ダイアフラム１０２のエッジはストリップ状枠１０１１の一方側とストリップ状延伸構造１０１２の一方側とで囲まれた曲がり領域内にあり、この表示装置は表示パネル２０をさらに含んでもよく、この表示パネル２０のエッジはストリップ状枠１０１１の一方側とストリップ状延伸構造１０１２の他方側とで囲まれた曲がり領域内にある。
【００４３】
さらに、図５に示すように、前記表示装置は前枠３０をさらに含んでもよく、この前枠３０は枠体１０１外側にあり、かつ表示パネル２０の光学ダイアフラム１０２に遠い側のエッジをカバーする。
【００４４】
具体的な実施において、本開示の実施例による表示装置は、携帯電話、タブレットパソコン、テレビ、ディスプレイ、ノートパソコン、デジタルフォトフレーム、ナビゲータなどのいずれの表示機能を有する製品又は部品であってもよい。
【００４５】
上述の通り、本開示の実施例による表示装置は、光学ダイアフラムに第１の固定サブ構造を設置し、枠体に第２の固定サブ構造を設置し、第１の固定サブ構造と第２の固定サブ構造とを係合させることにより光学ダイアフラムを固定するため、バックライトアセンブリの構造を簡素化させるとともに、光学ダイアフラムを背板に遠い側から抜けにくいようにし、バックライトアセンブリの光学品質を保証した。
【００４６】
上記のものは本開示の好ましい実施例に過ぎず、本開示を制限するためのものではない。本開示の精神及び原則を背けない全ての補正、同等置換え、改善などは本開示の保護範囲に含まれるものである。
【符号の説明】
【００４７】
１０    バックライトアセンブリ
１０１    枠体
１０２    光学ダイアフラム
１０３    導光板
１０４    固定構造
１０１１    ストリップ状枠
１０１２    ストリップ状延伸構造
１０２１    ラグ
１０１２ａ    突起
１０４１    第１の固定サブ構造
１０４２    第２の固定サブ構造
【図１】
2019536191.tif 000003
【図２−１】
2019536191.tif 000004
【図２−２】
2019536191.tif 000005
【図３−１】
2019536191.tif 000006
【図３−２】
2019536191.tif 000007
【図４】
2019536191.tif 000008
【図５】
2019536191.tif 000009
【国際調査報告】
2019536191.tif 000010
2019536191.tif 000011
2019536191.tif 000012
2019536191.tif 000013